【手続補正書】
【提出日】平成19年6月28日(2007.6.28)
【手続補正１】
【補正対象書類名】明細書
【補正対象項目名】発明の名称
【補正方法】変更
【補正の内容】
【発明の名称】商品検索装置及び方法
【手続補正２】
【補正対象書類名】明細書
【補正対象項目名】特許請求の範囲
【補正方法】変更
【補正の内容】
【特許請求の範囲】
【請求項１】  ネットワークを介して電子商店サーバ及びユーザ端末と通信し、インターネット上で運営されている多数の電子商店の商品情報を横断検索してユーザに通知する装置であって、
各電子商店サーバが提供しているＷｅｂページのＵＲＬとそのＷｅｂページの商品記述構造とを対応付けして記憶する商品記述構造記憶手段と、
ユーザ端末からの要求を受信してクエリー記述用の画面構成データをユーザ端末に送信するクエリー入力画面送信手段と、
前記ユーザ端末から前記クエリー記述画面に入力されたクエリー内容を取得する、クエリー取得手段と、
前記記憶された各ＷｅｂページのＵＲＬとその各Ｗｅｂページに対応付けられた商品記述構造を読み出し、前記各Ｗｅｂページに該当する前記商品記述構造に基づいて前記各Ｗｅｂページの所定位置に記載されている所定の商品関連情報を取得する商品関連情報取得手段と、
前記取得した商品関連情報と前記取得したクエリー内容とを照合し、前記クエリー内容と一致する前記商品関連情報を特定する照合手段と、
前記クエリー内容と一致した商品関連情報を記載した電子メールを生成し、前記電子メールを前記ユーザと前記クエリーに対応付けられたメールアドレス宛に送信する検索結果通知手段と、
を備えたことを特徴とする商品検索装置。
【請求項２】  前記各Ｗｅｂページを提供する前記各電子商店サーバもしくは前記各商品関連情報に関連する広告情報を、前記各ＷｅｂページのＵＲＬもしくは前記各商品関連情報に対応付けて記憶する広告情報記憶手段と
前記記憶された広告情報のうち、前記クエリー内容と一致した商品関連情報又は当該商品関連情報が記載されたＷｅｂページのＵＲＬのいずれかに対応した前記広告情報を取得する広告情報取得手段とをさらに備え、
前記検索結果通知手段は、前記取得した広告情報をさらに記載した前記電子メールを生成することを特徴とする、請求項１に記載の商品検索装置。
【請求項３】  ネットワークを介して電子商品サーバ及びユーザ端末と通信可能なコンピュータにより、インターネット上で運営されている多数の電子商店の商品情報を横断検索してユーザに通知する方法であって、前記コンピュータが、
各電子商店サーバが提供しているＷｅｂページのＵＲＬとそのＷｅｂページの商品記述構造とを対応付けして記憶するステップと、
ユーザ端末からの要求を受信してクエリー記述用の画面構成データをユーザ端末に送信するステップと、
前記ユーザ端末から前記クエリー記述画面に入力されたクエリー内容を取得するステップと、
前記記憶された各ＷｅｂページのＵＲＬとその各Ｗｅｂページに対応付けられた商品記述構造を読み出し、前記各Ｗｅｂページに該当する前記商品記述構造に基づいて前記各Ｗｅｂページの所定位置に記載されている所定の商品関連情報を取得するステップと、
前記取得した商品関連情報と前記取得したクエリー内容とを照合し、前記クエリー内容と一致する前記商品関連情報を特定するステップと、
前記クエリー内容と一致した商品関連情報を記載した電子メールを生成し、前記電子メールを前記ユーザと前記クエリーに対応付けられたメールアドレス宛に送信するステップと、
を実行することを特徴とする商品検索方法。
【手続補正３】
【補正対象書類名】明細書
【補正対象項目名】０００７
【補正方法】変更
【補正の内容】
【０００７】
そこで本発明は、希望する商品についての最新情報を利用者が時間や労力を掛けずに入手でき、しかも、Ｗｅｂページの書式に依存することなく電子商店サーバーを検索対象とすることができる商品検索サーバー及び方法を提供することを目的としている。
【手続補正４】
【補正対象書類名】明細書
【補正対象項目名】０００８
【補正方法】変更
【補正の内容】
【０００８】
【課題を解決するための手段】
上記の目的を達成するため、本発明は、ネットワークを介して電子商店サーバ及びユーザ端末と通信し、インターネット上で運営されている多数の電子商店の商品情報を横断検索してユーザに通知する装置であって、
各電子商店サーバが提供しているＷｅｂページのＵＲＬとそのＷｅｂページの商品記述構造とを対応付けして記憶する商品記述構造記憶手段と、
ユーザ端末からの要求を受信してクエリー記述用の画面構成データをユーザ端末に送信するクエリー入力画面送信手段と、
前記ユーザ端末から前記クエリー記述画面に入力されたクエリー内容を取得する、クエリー取得手段と、
前記記憶された各ＷｅｂページのＵＲＬとその各Ｗｅｂページに対応付けられた商品記述構造を読み出し、前記各Ｗｅｂページに該当する前記商品記述構造に基づいて前記各Ｗｅｂページの所定位置に記載されている所定の商品関連情報を取得する商品関連情報取得手段と、
前記取得した商品関連情報と前記取得したクエリー内容とを照合し、前記クエリー内容と一致する前記商品関連情報を特定する照合手段と、
前記クエリー内容と一致した商品関連情報を記載した電子メールを生成し、前記電子メールを前記ユーザと前記クエリーに対応付けられたメールアドレス宛に送信する検索結果通知手段と、
を備えたことを特徴とする。
【手続補正５】
【補正対象書類名】明細書
【補正対象項目名】０００９
【補正方法】変更
【補正の内容】
【０００９】
また、本発明において、前記各Ｗｅｂページを提供する前記各電子商店サーバもしくは前記各商品関連情報に関連する広告情報を、前記各ＷｅｂページのＵＲＬもしくは前記各商品関連情報に対応付けて記憶する広告情報記憶手段と、前記記憶された広告情報のうち、前記クエリー内容と一致した商品関連情報、当該商品関連情報が記載されたＷｅｂページのＵＲＬの、いずれかに対応した前記広告情報を取得する広告情報取得手段とをさらに備え、前記検索結果通知手段は、前記取得した広告情報をさらに記載した前記電子メールを生成することとしてもよい。
【手続補正６】
【補正対象書類名】明細書
【補正対象項目名】００１０
【補正方法】変更
【補正の内容】
【００１０】
また、本発明は、ネットワークを介して電子商品サーバと及びユーザ端末と通信可能なコンピュータによりし、インターネット上で運営されている多数の電子商店の商品情報を横断検索してユーザに通知する方法であって、前記コンピュータが、各電子商店サーバが提供しているＷｅｂページのＵＲＬとそのＷｅｂページの商品記述構造とを対応付けして記憶するステップと、ユーザ端末からの要求を受信してクエリー記述用の画面構成データをユーザ端末に送信するステップと、前記ユーザ端末から前記クエリー記述画面に入力されたクエリー内容を取得するステップと、前記記憶された各ＷｅｂページのＵＲＬとその各Ｗｅｂページに対応付けられた商品記述構造を読み出し、前記各Ｗｅｂページに該当する前記商品記述構造に基づいて前記各Ｗｅｂページの所定位置に記載されている所定の商品関連情報を取得するステップと、前記取得した商品関連情報と前記取得したクエリー内容とを照合し、前記クエリー内容と一致する前記商品関連情報を特定するステップと、前記クエリー内容と一致した商品関連情報を記載した電子メールを生成し、前記電子メールを前記ユーザと前記クエリーに対応付けられたメールアドレス宛に送信するステップと、
を実行することを特徴とする。
【手続補正７】
【補正対象書類名】明細書
【補正対象項目名】００２３
【補正方法】変更
【補正の内容】
【００２３】
【発明の効果】
本発明によれば、検索依頼者が提示した条件に一致する商品情報を電子メールで受け取ることができる。したがって、検索依頼者は労力や時間を掛けずに希望する商品関連情報を入手できる。しかも、検索対象となるＷｅｂページの商品記述情報をあらかじめ調査し、検索先のＷｅｂページがどのような書式を採用しているのかを認知しているので、商品記述の書式が異なる極めて多くの電子商店サーバーを検索対象とすることができ、検索依頼者はクエリー内容に一致した情報を的確に入手することができる。